(57)【特許請求の範囲】
【請求項１】
パチンコ機の前面枠を本体枠に対し施錠し、且つガラス枠を前面枠に対し施錠するパチンコ機用施錠装置において、
縦長の基枠が取付板と支持板を断面略Ｌ形に曲折して形成され、該基枠の該支持板の内側に１本の摺動杆が摺動可能に配設され、該基枠内の上部と下部に鉤部材が独立して摺動可能で且つ該摺動杆に対し解錠方向にのみ連動可能に連結されて配設され、該鉤部材は該本体枠側の受け金具に係止可能とされ、該基枠の該取付板にシリンダ錠がその錠軸を該基枠の内側に差込むように固定され、該錠軸の先端に前記摺動杆と係合可能なカム板が固定され、該基枠の取付板の上部と下部に挿入孔が形成され、該上部と下部の挿入孔に対応した位置に各々係止孔を有するガラス枠施錠部材が、前記基枠内の該取付板に沿って独立して摺動可能で且つ前記摺動杆に対し解錠方向にのみ連動可能に連結されて配設され、該ガラス枠の閉鎖時、該ガラス枠側のガラス枠鉤部が該ガラス枠施錠部材の係止孔に係止され、前記カム板によらず前記摺動杆を前記鉤部材の解錠方向に摺動させたとき、該摺動杆の移動を阻止するストッパが、該摺動杆における該カム板との係合部の下側であって該カム板側に設けられたことを特徴とするパチンコ機用施錠装置。
【発明の詳細な説明】
【０００１】
【発明の属する技術分野】
本発明は、パチンコ機の前面枠を本体枠に対し施錠すると共に、前面枠内に開閉可能に取付けられたガラス枠を、前面枠に対し施錠するパチンコ機用施錠装置に関する。
【０００２】
【従来の技術】
パチンコ機の前面枠を本体枠に対し施錠する施錠装置として、断面Ｌ字状の取付板と支持板からなる基枠の内側に、摺動杆が摺動可能に配設され、支持板の上部と下部に鉤部材が摺動杆に連結されて傾動可能に枢支され、取付板の中間部にシリンダ錠がその錠軸を取付板に設けた孔から内側に差込むように固定され、錠軸の先端に摺動杆と係合するカム板が固定されてなる施錠装置が、一般に使用されている。
【０００３】
一方、パチンコ機の前面枠内には、ガラスを嵌め込んだガラス枠が開閉可能に取付けられているが、この種の施錠装置には、ガラス枠を施錠するガラス枠用施錠具は設けられてなく、単にガラス枠用施錠具を解錠するための作動片付き作動杆が、施錠装置の基枠内に設けられ、シリンダ錠によるカム板の回動によりその作動杆を摺動させる機構が設けられているのみである。
【０００４】
このため、ガラス枠用施錠具を別個に前面枠の内側に取付ける必要があり、その際の取付け作業に多くの工数がかかると共に、施錠装置側の作動片をガラス枠用施錠具側の受け具に合せるように、位置調整を行なう必要があり、取付け時の調整作業にも多くの作業工数がかかる問題があった。
【０００５】
そこで、本出願人は、特開平１１−２０６９９９号公報により、取付板と支持板からなる縦長の基枠の内側に、上部と下部に鉤部を一体的に設けた摺動杆が摺動可能に配設され、基枠の取付板にシリンダ錠がその錠軸を内側に差込むように固定され、錠軸の先端に摺動杆と係合するカム板が固定され、基枠の取付板の上部と下部に挿入孔が形成され、挿入孔に対応した位置に係止孔を設けたガラス枠施錠杆が、基枠内の取付板に沿って摺動可能に配設され、ガラス枠施錠杆の一部に前記カム板が係合可能な係合部が設けられ、パチンコ機のガラス枠の内側に設けたガラス枠鉤部が、ガラス枠の閉鎖時に、挿入孔からガラス枠施錠杆の係止孔に進入して係止・施錠され、シリンダ錠を前面枠の解錠時と反対方向に回してカム板を同方向に回動させることにより、ガラス枠施錠杆を摺動させてガラス枠鉤部と係止孔の係合を解きガラス枠を解錠する構造のパチンコ機用施錠装置を提案した。
【０００６】
【発明が解決しようとする課題】
ところで、近年、パチンコホールでは、営業中にパチンコ機の前面枠やガラス枠を不正に解錠し、本体枠内の遊技プログラムを格納したＲＯＭなどを不正なものと取り替えてしまい、多くの入賞球を不正に払い出すようにする不正行為が行われる事件が発生している。このような不正解錠は、通常、本体枠と前面枠の隙間から針金や線材などを差込み、針金の先端で施錠装置の摺動杆やガラス枠施錠杆を引っ掛けて、解錠方向にそれを動かすことにより行われている。このために、針金などを用いて行われる不正解錠を未然に防止することができるパチンコ機用施錠装置が要望されていた。
【０００７】
本発明は、上記の課題を解決するためになされたもので、針金などを用いて行われる不正解錠を未然に防止することができるパチンコ機用施錠装置を提供することを目的とする。
【０００８】
【課題を解決するための手段】
上記の目的を達成するために、本発明のパチンコ機用施錠装置は、パチンコ機の前面枠を本体枠に対し施錠し、且つガラス枠を前面枠に対し施錠するパチンコ機用施錠装置において、縦長の基枠が取付板と支持板を断面略Ｌ形に曲折して形成され、基枠の支持板の内側に１本の摺動杆が摺動可能に配設され、基枠内の上部と下部に鉤部材が独立して摺動可能で且つ摺動杆に対し解錠方向にのみ連動可能に連結されて配設され、鉤部材は本体枠側の受け金具に係止可能とされ、基枠の取付板にシリンダ錠がその錠軸を基枠の内側に差込むように固定され、錠軸の先端に摺動杆と係合可能なカム板が固定され、基枠の取付板の上部と下部に挿入孔が形成され、上部と下部の挿入孔に対応した位置に各々係止孔を有するガラス枠施錠部材が、基枠内の取付板に沿って独立して摺動可能で且つ摺動杆に対し解錠方向にのみ連動可能に連結されて配設され、ガラス枠の閉鎖時、ガラス枠側のガラス枠鉤部がガラス枠施錠部材の係止孔に係止され、カム板によらず摺動杆を鉤部材の解錠方向に摺動させたとき、摺動杆の移動を阻止するストッパが、摺動杆におけるカム板との係合部の下側であってカム板側に設けられたことを特徴とする。
【００１０】
【作用】
このような構成のパチンコ機用施錠装置では、パチンコ機の前面枠を本体枠に対し閉じると、施錠装置の上下の鉤部材が本体枠側の受け金具に当って摺動しながら係止され、施錠状態となる。
【００１１】
それを解錠する場合は、キーによってシリンダ錠を回し、カム板を回転させると、カム板が摺動杆と係合してこれを摺動させ、上下の鉤部材が連動して解錠方向に移動することによって、本体枠の受け金具との係合が外れ、前面枠は開放可能な状態となる。
【００１２】
一方、前面枠内のガラス枠を前面枠に対し閉じると、ガラス枠内のガラス枠鉤部が前面枠側に取り付けた本施錠装置の取付板の挿入孔からガラス枠施錠部材の係止孔に進入し、これを摺動させながら、ガラス枠が閉じられたとき、ガラス枠鉤部が係止孔の縁部に係止され、ガラス枠は施錠状態となる。
【００１３】
ガラス枠を解錠する場合は、シリンダ錠のキーを逆方向に回して、カム板を同方向に回動させる。このとき、カム板の係合凸部が摺動杆と係合して摺動杆を上記とは逆方向に摺動させる。この摺動杆の上記とは逆方向の摺動に連動して、ガラス枠施錠部材が摺動し、ガラス枠施錠部材の係止孔とガラス枠鉤部との係合が外れ、ガラス枠は解錠される。
【００１４】
一方、施錠された状態で、パチンコ機の隙間から針金などが差し込まれ、上部または下部の鉤部材に引っ掛けて、上部または下部の一方を鉤部材を上方（解錠側）に引いた場合、鉤部材の一方は上方に移動するが、上部と下部の鉤部材は一体ではなく独立して形成され、解錠側には独立して移動可能であるから、針金が掛けられた一方の鉤部材が解錠方向に移動した場合でも、他方の鉤部材は移動しない。したがって、針金などにより一方の鉤部材が解錠方向に移動したとしても、他方の鉤部材は施錠状態を保持するから、前面枠の不正解除は防止される。
【００１５】
また、同様に、上部と下部のガラス枠施錠部材も解錠側には独立して移動するように、摺動杆に対して連動可能に連結されているから、一方のガラス枠施錠部材に針金などを引っ掛けて行う不正解錠を防止することができる。
【００１６】
【発明の実施の形態】
以下、本発明の実施例を図面に基づいて説明する。図１は施錠装置の正面図を、図２はその背面図を示し、図３はその右側面図を、図４はその左側面図を各々示している。１は取付板２と支持板３を断面略Ｌ形に曲折して一体成形してなる縦長の基枠で、取付板２には複数の取付孔が穿設され、さらにその上部と下部に、後述のガラス枠鉤部２６，２７が進入する挿入孔１４，１５が矩形孔として形成される。また、その挿入孔１４，１５の下側の取付板２上には、ガイドピン２ａ、２ｂが後述のガラス枠施錠部材１０，１１の摺動をガイドするために、取り付けられている。
【００１７】
上部と下部に鉤部材４，５を上方移動時のみ連動して摺動させる摺動杆６が支持板３の内側に、上下に摺動可能に配設される。摺動杆６は、図６に示すように、金属板により帯状に形成され、上部と下部にガイド孔６ｅ、６ｆを設け、中間部に手動操作用の操作部６ｇを突設し、下部のガイド孔６ｆの少し上には、後述のカム板８が係合可能な２個の係合部６ｃ、６ｄが矩形孔として形成されて構成される。係合部６ｄは前面枠を解錠する際にシリンダ錠７を右に回したとき、カム板８の第一係合凸部８ａが係合し、係合部６ｃはガラス枠を解錠する際にシリンダ錠７を左に回したとき、カム板８の第二係合凸部８ｂが係合する。
【００１８】
上部と下部の鉤部材４，５は三角形頭部を有しその中間部に係合凹部を下側に向けて形成されている。また、上下の鉤部材４，５には、その裏側から各々ガイドピン４ａ，５ａが、支持板３の上部と下部に設けた小判形のガイド孔３ａ、３ｂに通して、鉤部材４，５に固定され、さらに、鉤部材４，５は、図５に示すように、支持板３の上部と下部に設けたガイド部３ｃ、３ｄにガイドされ保持される。このガイドピン４ａ，５ａとガイド部３ｃ、３ｄによって鉤部材４，５は、所定の範囲で上下に摺動可能に保持される。
【００１９】
さらに、上記ガイドピン４ａ，５ａが上記摺動杆６のガイド孔６ｅ，６ｆに挿通されており、且つ鉤部材４，５と取付板２の間にコイルばね９ｂ、９ｄが掛けられ、鉤部材４，５は下方に付勢される。また、ガイドピン４ａ，５ａが摺動杆６のガイド孔６ｅ，６ｆと支持板３のガイド孔３ａ、３ｂの下側縁部に当接しているから、摺動杆６が上方に摺動するとき、鉤部材４，５は連動して移動する。したがって、各々の鉤部材４，５は、独立して上方に移動可能であり、針金などで上下の鉤部材４，５を上方に移動させる場合は、両方の鉤部材４，５に引っ掛けて上に引かなければならず、針金などで一方のみの鉤部材４または５を引っ掛けて上に引いただけでは、不正解錠をすることができない。
【００２０】
一方、ガラス枠施錠装置を構成するガラス枠施錠部材１０，１１は、図５、図６に示すように、金属板を断面コ字状に折り曲げて形成され、取付板２側に係止孔１２，１３が矩形孔として形成され、この係止孔１２，１３は取付板２側の挿入孔１４，１５に対向して配置される。また、このガラス枠施錠部材１０、１１には、各々ガイド孔１０ａ，１０ｂ、１１ａ，１１ｂが設けられ、ガイド孔１０ａ、１１ａには、摺動杆６の上部と下部に固定されたガイドピン６ａ，６ｂが係合している。
【００２１】
また、ガイド孔１０ｂ、１１ｂには、取付板２の上部と下部に固定されたガイドピン２ａ，２ｂが係合し、ガラス枠施錠部材１０，１１と取付板２の間にコイルばね９ａ、９ｃが掛けられ、ガラス枠施錠部材１０，１１は上方に付勢され、ガイドピン２ａ，２ｂがガラス枠施錠部材１０，１１のガイド孔１０ｂ，１１ｂの下側縁部に当接し、ガイドピン６ａ、６ｂがガラス枠施錠部材１０，１１のガイド孔１０ａ，１１ａの下側縁部に当接した状態で停止する。このようなガラス枠施錠部材１０，１１の停止位置において、その係止孔１２，１３は、取付板２側の挿入孔１４，１５の上側に対向して位置する。
【００２２】
したがって、ガラス枠施錠部材１０，１１は、後述のガラス枠鉤部２６，２７がその係止孔１２，１３に進入したとき、その鉤部に押されコイルばねの付勢力に抗して下方に摺動し、その後、コイルばねの付勢力で元の位置に戻り、ガラス枠鉤部２６，２７を係止する。また、ガラス枠施錠部材１０，１１は、解錠時には、摺動杆６の下方への摺動に伴いそれに連結されて下方に摺動し、ガラス枠鉤部２６，２７と係止孔１２，１３の係合が解除される。
【００２３】
さらに、取付板２の下部の拡幅部分に、シリンダ錠７を取り付けるための異形孔が形成されると共に、取付ブラケット部１８が形成される。取付ブラケット部１８は、取付板２の一部を切り開き、それを内側に曲げて凹状に形成され、シリンダ錠７の元部を基枠１の内側に入れ、その元部（フランジ）をそこに固定する。シリンダ錠７は、その元部にフランジ７ａを有し、錠軸を基枠１の内側に挿入するようにして、フランジ７ａを取付ブラケット部１８にねじ止めして固定される。
【００２４】
このように、基枠１の内側に凹状に形成された取付ブラケット部１８にシリンダ錠７を固定することにより、シリンダ錠の７の前面への突き出し長を短くし、規格化されたシリンダ錠を厚さの薄い前面枠にも良好に使用することができる。シリンダ錠７の錠軸には第一係合凸部８ａと第二係合凸部８ｂを持つカム板８が固定される。
【００２５】
シリンダ錠７を操作してカム板８を図２反時計方向に回動させた場合、カム板の第一係合凸部８ａが摺動杆６の係合部６ｄに係合し、摺動杆６を上方に摺動させ、鉤部材４，５を上方に摺動させる。このとき、鉤部材４，５と本体枠側の受け金具２４，２５との係合が解除され、前面枠が解錠される。したがって、この鉤部材４，５、摺動杆６、カム板８、シリンダ錠７によって、前面枠の施錠・解錠機構が形成されることになる。
【００２６】
一方、シリンダ錠７を操作してカム板８を図２時計方向に回動させた場合、カム板の第二係合凸部８ｂが摺動杆６の係合部６ｃに係合し、摺動杆６を下方に摺動させ、ガラス枠施錠部材１０，１１を下方に摺動させる。このとき、ガラス枠施錠部材１０，１１とガラス枠側のガラス枠鉤部２６，２７の係合が解除され、ガラス枠が解錠される。
【００２７】
したがって、ガラス枠施錠部材１０，１１、摺動杆６、カム板８、シリンダ錠７によって、ガラス枠の施錠・解錠機構が形成されることになる。従来のこの種の施錠装置では、上下のガラス枠施錠部材が一体に形成され、大型となっていたが、本施錠装置では、ガラス枠施錠部材１０，１１が別個に小形化されて形成され、前面枠用解錠機構の摺動杆６に連係して解錠動作を行うようにしている。このため、施錠装置の軽量化が図れ、構造も簡単となる。
【００２８】
一方、摺動杆６における係合部６ｄの下側のカム板側には、ストッパ１６が内側に突出して設けられる。このストッパ１６は、摺動杆６の不正な上方摺動を防止するもので、施錠状態において、摺動杆６が上方に針金などで不正に移動したとき、図２，３の通常位置にあるカム板８の第一係合凸部８ａにストッパ１６が当接し、摺動杆６と鉤部材４，５がその解錠位置まで移動することを阻止するように作用する。
【００２９】
このように構成された施錠装置は、図８に示すように、パチンコ機における例えば合成樹脂製の前面枠２１の内側に、シリンダ錠７の先端を前面に露出させ、鉤部材４，５をパチンコ機の本体枠２０側に突出した状態で、取付板２を用いて縦に取付けられる。
【００３０】
一方、本体枠２０の内側の鉤部材４，５に対応した上下位置には、受け金具２４、２５が固定される。さらに、パチンコ機の前面にはガラス枠２２が前面枠２１の開口部にヒンジを介して開閉可能に取付けられ、そのガラス枠２２の自由端部に、且つガラス枠施錠部材１０，１１の係止孔１２、１３に進入可能な位置に、ガラス枠鉤部２６、２７が内側に突出して固定される。
【００３１】
このようなパチンコ機用施錠装置は、パチンコ機における前面枠２１を本体枠２０に対し閉じると、図８に示すように、施錠装置の上下の鉤部材４，５が、各々独立して、コイルばね９ｂ、９ｄの付勢力に抗して、本体枠２０側の受け金具２４、２５に当りながら上方に移動し、その後、コイルばね９ｂ、９ｄの付勢力により戻って受け金具に係止され、施錠状態となる。
【００３２】
それを解錠する場合は、キーによってシリンダ錠７の錠軸を回し、カム板８を図２反時計方向に回転させると、カム板８の第一係合凸部８ａが摺動杆６の係合部６ｄと係合してこれを上方へ摺動させ、摺動杆６の上昇時のみ連動する上下の鉤部材４，５を上に移動させる。この鉤部材４，５の上移動によって、本体枠の受け金具２４、２５との係合が外れ、前面枠２１は開放可能な状態となる。
【００３３】
一方、前面枠２１内のガラス枠２２を前面枠２１に対し閉じると、図７に示すように、ガラス枠２２の内側に突出したガラス枠鉤部２６、２７が、挿入孔１４，１５から基枠１内に進入し、ガラス枠施錠部材１０，１１の係止孔１２、１３に入る。そして、ガラス枠施錠部材１０，１１をコイルばね９ａ，９ｃの付勢力に抗して下方に摺動させた後、コイルばね９ａ，９ｃの付勢力によりガラス枠施錠部材１０，１１が上方に戻り、これにより、ガラス枠鉤部２６、２７が係止孔１２、１３の縁部に係止され、ガラス枠２２は施錠状態となる。
【００３４】
ガラス枠２２を解錠する場合は、シリンダ錠７のキーを逆方向に回して、カム板８を図２時計方向へ回動させると、図７に示すように、カム板８の第二係合凸部８ｂが摺動杆６の係合部６ｃと係合し、これをコイルばね９ａ，９ｃの付勢力に抗して下方へ摺動させ、摺動杆６の下方への摺動時にのみ連動する上下のガラス枠施錠部材１０，１１を下方に摺動させる。このガラス枠施錠部材１０，１１の係止孔１２、１３の下方への移動動作によって、ガラス枠２２のガラス枠鉤部２６、２７と係止孔１２、１３の縁部の係合が外れ、ガラス枠２２は開放される。
【００３５】
一方、施錠された状態で、図１０に示すように、パチンコ機の隙間から針金ｗなどが差し込まれ、鉤部材４又は５に引っ掛けて、鉤部材４または５を上方に引いた場合、鉤部材４または５は上方に移動するが、鉤部材４，５は一体ではなく独立して形成され、上方には独立して移動可能であるから、針金ｗが掛けられた一方の鉤部材４または５のみが解錠方向に移動し、他方の鉤部材４または５は移動しない。したがって、針金などにより一方の鉤部材が解錠方向に移動したとしても、他方の鉤部材は施錠状態を保持するから、前面枠の不正解除は防止される。
【００３６】
また、針金などを摺動杆６に引っ掛けてそれを上方に摺動させて解錠しようとした場合には、図１１のように、摺動杆６のカム板側に設けたストッパ１６がカム板８の第一係合凸部８ａに当たり、摺動杆６の解錠側への移動を阻止するから、矢張り前面枠の不正解錠は防止される。
【００３７】
一方、ガラス枠施錠部材１０，１１も、摺動杆６に対しては独立して下方に移動可能に形成されているから、パチンコ機の隙間から差し込まれた針金などをガラス枠施錠部材１０または１１に引っ掛けて不正に解除方向の下方に摺動させたとしても、一方のみのガラス枠施錠部材１０または１１の移動では、ガラス枠は解錠状態とならず、不正解錠を防止することができる。
【００３８】
【発明の効果】
以上説明したように、上部と下部の鉤部材が一体ではなく独立して摺動可能に形成され、解錠方向には独立して移動可能であるから、パチンコ機の隙間から針金などが差し込まれ、一方の鉤部材に引っ掛けて、それを上方に引いたとしても、一方の鉤部材は移動するが、他方の鉤部材は施錠状態を保持して、前面枠の不正解除を防止することができる。また、上部と下部のガラス枠施錠部材も、一体ではなく、別体で独立して摺動可能に形成され、解錠側には独立して移動可能であるから、一方のガラス枠施錠部材に針金などを引っ掛けて行うガラス枠の不正解錠を防止することができる。また、上下の鉤部材と上下のガラス枠施錠部材は１本の摺動杆により解錠方向に動かす構造であるから、従来に比べ、ガラス枠施錠部材は小形化され、構造が簡単で、軽量化を図ることができる。さらに、カム板によらずに摺動杆の解錠方向への移動を阻止するストッパを設けることにより、隙間から差し込まれた針金などを摺動杆に引っ掛けて、摺動杆を解錠側に動かそうとした場合、摺動杆は解錠側に動かず、不正解錠を防止することができる。
【図面の簡単な説明】
【図１】本発明の一実施例を示す施錠装置の正面図である。
【図２】その背面図である。
【図３】その右側面図である。
【図４】その左側面図である。
【図５】施錠装置の分解背面図である。
【図６】施錠装置の分解右側面図である。
【図７】ガラス枠施錠部材の移動時（解錠時）の背面図である。
【図８】使用状態を示す右側面図である。
【図９】（ａ）は上部のガラス枠施錠部材１２のみを動かした状態の部分背面図、（ｂ）は下部のガラス枠施錠部材１３のみを動かした状態の部分背面図である。
【図１０】（ａ）上部の鉤部材４を動かした状態の部分右側面図、（ｂ）は下部の鉤部材５のみを動かした状態の部分右側面図である。
【図１１】施錠装置の下部の部分右側面図である。
【符号の説明】
１−基枠
２−取付板
３−支持板
４、５−鉤部材
６−摺動杆
７−シリンダ錠
８−カム板
１０、１１−ガラス枠施錠部材
１２、１３−係止孔
１４、１５−挿入孔
１６−ストッパ
２６、２７−ガラス枠鉤部
【図１】
0004266559.tif 000002
【図２】
0004266559.tif 000003
【図３】
0004266559.tif 000004
【図４】
0004266559.tif 000005
【図５】
0004266559.tif 000006
【図６】
0004266559.tif 000007
【図７】
0004266559.tif 000008
【図８】
0004266559.tif 000009
【図９】
0004266559.tif 000010
【図１０】
0004266559.tif 000011
【図１１】
0004266559.tif 000012